(57)【要約】    【課題】複数台のインターホン端末間を接続する共通線であるインターホンバスの総線路長および通信伝送距離の延長化を図り、データ通信の安定性を高めるとともに、通話成立時における回線エコーを抑制してハウリングの発生を防止させた大規模なバス接続式インターホン装置を提供する。    【解決手段】複数台のインターホン端末１、１１ａ、１１ｂ、１１ｃ、・・・、２、１２ａ、１２ｂ、１２ｃ、・・・、３、１３ａ、１３ｂ、１３ｃ、・・・にて構成された複数のインターホン通信網Ｎ1、Ｎ2、Ｎ3が接続されるインターホンバスＬ1、Ｌ2、Ｌ3間に介在されたインターホンバス延長アダプタ３１、３２の双方向中継機能によって、インターホン通信網の一方を構成するインターホン端末およびインターホン通信網の他方を構成するインターホン端末間にて通話を成立させるための音声信号および当該音声信号に重畳された制御データを相互交換する。  【選択図】図１
2006211028.tif 000002
【特許請求の範囲】
【請求項１】
複数台のインターホン端末（１、１１ａ、１１ｂ、１１ｃ、・・・、、２、１２ａ、１２ｂ、１２ｃ、・・・、３、１３ａ、１３ｂ、１３ｃ、・・・）にて構成される複数のインターホン通信網（Ｎ1、Ｎ2、Ｎ3）をインターホンバス（Ｌ1、Ｌ2、Ｌ3）により接続し、前記インターホンバス間に音声信号および前記音声信号に重畳された制御データを相互交換するためのインターホンバス延長アダプタ（３１、３２）を介在し、
前記インターホンバス延長アダプタは、前記インターホン通信網の一方から前記インターホンバスを介して伝送されてくる前記音声信号および前記制御データをそれぞれ受信して前記インターホン通信網の他方にそれぞれ伝送し、前記インターホン通信網の他方から前記インターホンバスを介して伝送されてくる前記音声信号および前記制御データをそれぞれ受信して前記インターホン通信網の一方にそれぞれ伝送する双方向中継機能を有することを特徴とするバス接続式インターホン装置。
【請求項２】
前記インターホンバス延長アダプタは、前記制御データの送信検出信号および前記制御データの受信検出信号のデータ長に合わせてそれぞれ前記音声信号の中継を無効として制御データの波形歪みを防止するための波形歪み防止回路（３０６ａ、３０６ｂ）を備えたことを特徴とする請求項１記載のバス接続式インターホン装置。
【請求項３】
前記インターホンバス延長アダプタは、前記インターホンバス延長アダプタを多数台接続する場合に、音声の回線エコーを抑制するためのインターホンボイススイッチ回路（３０７）を備えたことを特徴とする請求項１または請求項２記載のバス接続式インターホン装置。
【請求項４】
前記インターホンバス延長アダプタは、前記インターホンバス延長アダプタをカスケード接続した場合に、前記音声信号の減衰を防止するためのＡＧＣ回路（３０８ａ、３０８ｂ）を備えたことを特徴とする請求項１乃至請求項３のうち何れか１項記載のバス接続式インターホン装置。
【発明の詳細な説明】
【技術分野】
【０００１】
本発明はバス接続式インターホン装置に係り、特に、複数台のインターホン端末間を接続する共通線であるインターホンバスの総線路長および通信伝送距離の延長化が図られたバス接続式インターホン装置に関する。
【背景技術】
【０００２】
従来から、共通バスにより並列接続（バス接続）された集合玄関機および（複数台の）居室親機にバスコントローラから直流電源、例えば、ＤＣ２４Ｖを供給する集合住宅インターホンシステムが開示されている（例えば、特許文献１を参照。）。
【０００３】
従来例の集合住宅インターホンシステムによれば、通話を成立させるための音声信号の周波数が高くなっても、共通バスへのインピーダンスを例えば、２００〜３００Ωに維持することが可能となり、共通バスの伝送損失が減少され、当該共通バスに並列接続（バス接続）される集合玄関機および（特定の）居室親機の間で送受信される諸信号、例えば、通話を成立させるための音声信号や当該音声信号に重畳されるデータ信号（制御データ）の伝送状態を安定化させることができる。
【０００４】
また、集合玄関機および（特定の）居室親機の間で通話が成立している場合において、集合玄関機では、共通バスが有する交流インピーダンスの影響を受けずに帰還音信号として異なる経路を介して伝送されてきた（特定の）居室親機からの送話音をなす音声信号を十分に打ち消すことが可能となり、ハウリングの発生を防止できる。一方、（特定の）居室親機においても、共通バスが有する交流インピーダンスの影響を受けずに帰還音信号として異なる経路を介して伝送されてきた集合玄関機からの送話音をなす音声信号を十分に打ち消すことが可能となり、ハウリングの発生を防止できる。
【０００５】
【特許文献１】特開２００２−３５４１３４号公報（段落番号００４９、００５７〜００６２等）
【発明の開示】
【発明が解決しようとする課題】
【０００６】
従来例の集合住宅インターホンシステムにおいて、バスコントローラからの直流電源、通話を成立させるための音声信号および制御データ（データ信号）が多重化される共通バスには、予め定められた台数のインターホン端末を接続することができる、例えば、最大５台までの玄関子機や最大２５０台までの居室親機を接続することができる。一方、これらインターホン端末の台数が増大すると、共通バスの総線路長を延長化せねばならず、この延長化に伴い共通バスのキャパシタンスが大きくなることにより、共通バスを介して伝送される制御データが減衰して伝送通信が不安定となる虞があった。
【０００７】
また、共通バスの総線路長の延長化に伴い通信伝送距離が長くなると、当該共通バスの線路抵抗が無視できない大きさとなるため、バスコントローラから居室親機を動作させるための直流電源の電位レベルが当該居室親機の構成構成／各部にて低下してしまうことにより、例えば、３００ｍまでしか共通バスを延長化できなかった。
【０００８】
本発明は、前述の難点を解消するためになされたもので、複数台のインターホン端末間を接続する共通線であるインターホンバスの総線路長および通信伝送距離の延長化を図り、データ通信の安定性を高めるとともに、通話成立時における回線エコーを抑制してハウリングの発生を防止させた大規模なバス接続式インターホン装置を提供することを目的としている。
【課題を解決するための手段】
【０００９】
前述の目的を達成するため、請求項１記載の本発明によるバス接続式インターホン装置は、複数台のインターホン端末にて構成される複数のインターホン通信網をインターホンバスにより接続し、インターホンバス間に音声信号および音声信号に重畳された制御データを相互交換するためのインターホンバス延長アダプタを介在したものである。インターホンバス延長アダプタは、インターホン通信網の一方からインターホンバスを介して伝送されてくる音声信号および制御データをそれぞれ受信してインターホン通信網の他方にそれぞれ伝送し、インターホン通信網の他方からインターホンバスを介して伝送されてくる音声信号および制御データをそれぞれ受信してインターホン通信網の一方にそれぞれ伝送する双方向中継機能を有するものである。
【００１０】
また、請求項２記載の本発明によるバス接続式インターホン装置は、請求項１記載の当該装置において、インターホンバス延長アダプタは、制御データの送信検出信号および制御データの受信検出信号のデータ長に合わせてそれぞれ音声信号の中継を無効として制御データの波形歪みを防止するための波形歪み防止回路を備えたものである。
【００１１】
また、請求項３記載の本発明によるバス接続式インターホン装置は、請求項１または請求項２記載の当該装置において、インターホンバス延長アダプタは、インターホンバス延長アダプタを多数台接続する場合に、音声の回線エコーを抑制するためのインターホンボイススイッチ回路を備えたものである。
【００１２】
また、請求項４記載の本発明によるバス接続式インターホン装置は、請求項１乃至請求項３のうち何れか１項記載の当該装置において、インターホンバス延長アダプタは、インターホンバス延長アダプタをカスケード接続した場合に、音声信号の減衰を防止するためのＡＧＣ回路を備えたものである。
【発明の効果】
【００１３】
本発明のバス接続式インターホン装置によれば、複数台のインターホン端末にて構成された複数のインターホン通信網が接続されるインターホンバス間に介在されたインターホンバス延長アダプタの双方向中継機能によって、インターホン通信網の一方を構成するインターホン端末およびインターホン通信網の他方を構成するインターホン端末間にて通話を成立させるための音声信号および当該音声信号に重畳された制御データを相互交換することができ、インターホンバスの総線路長および通信伝送距離の延長化が図られた大規模な当該装置の適用が可能となる。
【００１４】
また、本発明のバス接続式インターホン装置によれば、インターホン通信網の一方を構成するインターホン端末およびインターホン通信網の他方を構成するインターホン端末間にて通話を成立させるための音声信号および当該音声信号に重畳された制御データをインターホンバス延長アダプタの双方向中継機能によって相互交換するにあたり、インターホンバス延長アダプタの波形歪み防止回路は、制御データの送信検出信号および制御データの受信検出信号のデータ長に合わせて音声信号の中継を無効とすることから、相互交換される制御データの波形歪みの発生が防止されてデータ通信の安定性が高められる。
【００１５】
また、本発明のバス接続式インターホン装置によれば、インターホン通信網の一方を構成するインターホン端末およびインターホン通信網の他方を構成するインターホン端末間にて通話を成立させるための音声信号および当該音声信号に重畳された制御データをインターホンバス延長アダプタの双方向中継機能によって相互交換するにあたり、インターホンバス延長アダプタのインターホンボイススイッチ回路は、相互交換される双方向の音声信号のうち何れか一方の当該音声信号のみを有効として中継することから、音声の回線エコーが抑制されてハウリングの発生を防止できる。
【００１６】
また、本発明のバス接続式インターホン装置によれば、インターホン通信網の一方を構成するインターホン端末およびインターホン通信網の他方を構成するインターホン端末間にて通話を成立させるための音声信号および当該音声信号に重畳された制御データをインターホンバス延長アダプタの双方向中継機能によって相互交換するにあたり、インターホンバス延長アダプタのＡＧＣ回路は、相互交換される双方向の音声信号のレベルを、当該音声信号が伝送されてきたインターホンバスの線路長に応じた減衰分増加させて中継することから、インターホンバスの総線路長および通信伝送距離の延長化が図られた場合でも、インターホン端末にてそれぞれ放音される音声を聴き取り易い良好なレベルで確保できる。
【発明を実施するための最良の形態】
【００１７】
以下、本発明のバス接続式インターホン装置を適用した最良の実施の形態例について、図面を参照して説明する。
【００１８】
図１は、本発明の第１〜第４の各実施例によるバス接続式インターホン装置の構成を示すシステム説明図である。
【００１９】
図１のシステム説明図に示すバス接続式インターホン装置は、呼び出しや通話が可能な複数台のインターホン端末として、複数の異なる住戸玄関にそれぞれ設置される玄関子機１、２、３と、複数の異なる住戸内にそれぞれ設置されており、共通線であるインターホンバス（以下、第１〜第３の各インターホンバスという。）Ｌ1、Ｌ2、Ｌ3を介して玄関子機１、２、３にそれぞれ並列接続（バス接続）された複数台の居室親機１１ａ、１１ｂ、１１ｃ、・・・、１２ａ、１２ｂ、１２ｃ、・・・、１３ａ、１３ｂ、１３ｃ、・・・と、直流電源、例えば、ＤＣ２４Ｖを第１〜第３の各インターホンバスＬ1、Ｌ2、Ｌ3にそれぞれ印加するためのアダプタ２１、２２、２３と、（インターホン端末を構成する）玄関子機１、２、３および複数台の居室親機１１ａ、１１ｂ、１１ｃ、・・・、１２ａ、１２ｂ、１２ｃ、・・・、１３ａ、１３ｂ、１３ｃ、・・・の間で通話を成立させるにあたり送受信される音声信号および当該音声信号に重畳される後述する制御データを相互交換するための双方向中継機能を有するインターホンバス延長アダプタ３１、３２とが備えられている。
【００２０】
なお、図１のシステム説明図に示すバス接続式インターホン装置において、第１のインターホンバスＬ1に並列接続（バス接続）された玄関子機１および複数台の居室親機１１ａ、１１ｂ、１１ｃ、・・・から構成される当該インターホン端末を第１のインターホン通信網Ｎ1、第２のインターホンバスＬ2に並列接続（バス接続）された玄関子機２および複数台の居室親機１２ａ、１２ｂ、１２ｃ、・・・から構成される当該インターホン端末を第２のインターホン通信網Ｎ2、第３のインターホンバスＬ3に並列接続（バス接続）された玄関子機３および複数台の居室親機１３ａ、１３ｂ、１３ｃ、・・・から構成される当該インターホン端末を第３のインターホン通信網Ｎ3という。また、第１〜第３の各インターホン通信網Ｎ1、Ｎ2、Ｎ3をそれぞれ構成する当該インターホン端末のうち、当該玄関子機は第１〜第３の各インターホンバスＬ1、Ｌ2、Ｌ3に最大５台までそれぞれ並列接続（バス接続）することができ、当該居室親機についても、第１〜第３の各インターホンバスＬ1、Ｌ2、Ｌ3に最大２５０台までそれぞれ並列接続（バス接続）することができる。
【００２１】
また、図１のシステム説明図に示す玄関子機１、２、３はそれぞれ同様な構成であり、呼出操作が行われる呼出ボタン１００と、呼出操作を行った来訪者等の映像を撮像するためのＣＣＤ（Charge Coupled Device）撮像素子、ＣＭＯＳ（Complementary Metal Oxide Semiconductor）撮像素子等のカメラ１０１と、通話を成立させるための音声（送話音、受話音）が入出力されるマイク（以下、子機マイクという。）１０２およびスピーカ（以下、子機スピーカという。）１０３とを有している。
【００２２】
さらに、図１のシステム説明図に示す（複数台の）居室親機１１ａ、１１ｂ、１１ｃ、・・・、１２ａ、１２ｂ、１２ｃ、・・・、１３ａ、１３ｂ、１３ｃ、・・・はそれぞれ同様な構成であり、玄関子機１、２、３からの呼び出しがある旨の呼出音（音声メッセージを含む。）を放音するとともに、通話を成立させるための音声（受話音）が出力されるスピーカ（以下、親機スピーカという。）２００と、通話を成立させるための音声（送話音）が入力されるマイク（以下、親機マイクという。）２０１と、玄関子機１、２、３の各カメラ１０１にて撮像された映像を出画するためのＬＣＤ（Liquid Crystal Display）、有機ＥＬ（Electro Luminescence）ディスプレイ等のモニタ２０２とを有している。
［第１の実施例］
図２は、本発明の第１の実施例によるバス接続式インターホン装置において、第１〜第３の各インターホン通信網Ｎ1、Ｎ2、Ｎ3をそれぞれ構成する当該インターホン端末のうち、ここでは、第１のインターホン通信網Ｎ1を構成する玄関子機１と第２のインターホン通信網Ｎ2を構成する居室親機１２ａとの間を第１、第２の各インターホンバスＬ1、Ｌ2をそれぞれ介在させて接続するインターホンバス延長アダプタ３１の具体的な構成（以下、第１の構成例という。）を示すブロック図である。
【００２３】
図２のブロック図に示す第１の構成例としてのインターホンバス延長アダプタ３１は、第１のインターホンバスＬ1に印加されるアダプタ２１からの直流電源（ＤＣ２４Ｖ）、第２のインターホンバスＬ2に印加されるアダプタ２２からの直流電源（ＤＣ２４Ｖ）をそれぞれ受電し、受電された直流電源（ＤＣ２４Ｖ）を自延長アダプタ３１内の構成各部／回路の動作電源として供給するための電源回路（以下、第１、第２の電源回路という。）３００ａ、３００ｂと、図１のシステム説明図に示す玄関子機１の子機マイク１０２に入力された後、第１のインターホンバスＬ1を介して伝送されてくる音声信号（以下、子機音声信号という。）を２線／４線変換するとともに、後述するハイブリッド回路３０１ｂを介して２線／４線変換された音声信号を４線／２線変換するためのハイブリッド回路（以下、第１のハイブリッド回路という。）３０１ａと、図１のシステム説明図に示す居室親機１２ａの親機マイク２０１に入力された後、第２のインターホンバスＬ2を介して伝送されてくる音声信号（以下、親機音声信号という。）を２線／４線変換するとともに、前述の第１のハイブリッド回路３０１ａを介して２線／４線変換された子機音声信号を４線／２線変換するためのハイブリッド回路（以下、第２のハイブリッド回路という。）３０１ｂと、第１のハイブリッド回路３０１ａから第２のハイブリッド回路３０１ｂへの子機音声信号の信号伝送路を形成し、形成された信号伝送路を直流的に絶縁するためのトランス（以下、第１のトランスという。）３０２ａと、第２のハイブリッド回路３０１ｂから第１のハイブリッド回路３０１ａへの親機音声信号の信号伝送路を形成し、形成された信号伝送路を直流的に絶縁するためのトランス（以下、第２のトランスという。）３０２ｂと、玄関子機１から送信された後、前述の子機音声信号に重畳されて第１のインターホンバスＬ1を介して伝送されてくる制御データ（以下、子機制御データという。）を受信するためのデータ受信回路（以下、第１のデータ受信回路という。）３０３ａと、居室親機１２ａから送信された後、前述の親機音声信号に重畳されて第２のインターホンバスＬ2を介して伝送されてくる制御データ（以下、親機制御データという。）を受信するためのデータ受信回路（以下、第２のデータ受信回路という。）３０３ｂと、第１のデータ受信回路３０３ａにて受信された子機制御データを第２のインターホンバスＬ2に送信するためのデータ送信回路（以下、第１のデータ送信回路という。）３０４ａと、第２のデータ受信回路３０３ｂにて受信された親機制御データを第１のインターホンバスＬ1に送信するためのデータ送信回路（以下、第２のデータ送信回路という。）３０４ｂと、第１のデータ受信回路３０３ａから第１のデータ送信回路３０４ａへの子機制御データのデータ伝送路を形成するための発光ダイオードおよび受光トランジスタにて構成されるフォトカプラ（以下、第１のフォトカプラという。）３０５ａと、第２のデータ受信回路３０３ｂから第２のデータ送信回路３０４ｂへの親機制御データのデータ伝送路を形成するための発光ダイオードおよび受光トランジスタにて構成されるフォトカプラ（以下、第２のフォトカプラという。）３���５ｂとを有している。なお、第１のデータ送信回路３０４ａの制御出力側には、第２のデータ受信回路３０３ｂの制御入力側が接続されている。また、第２のデータ送信回路３０４ｂの制御出力側には、第１のデータ受信回路３０３ａの制御入力側が接続されている。
【００２４】
このように構成された本発明の第１の実施例によるバス接続式インターホン装置において、以下、具体的な動作について図１のシステム説明図および図２のブロック図を参照して説明する。
【００２５】
図１のシステム説明図に示す第１〜第３の各インターホン通信網Ｎ1、Ｎ2、Ｎ3において、例えば、第１のインターホン通信網Ｎ1を構成する玄関子機１と第２のインターホン通信網Ｎ2を構成する特定の居室親機との間の通信伝送距離は、インターホンバス延長アダプタ３１が介在されている第１、第２の各インターホンバスＬ1、Ｌ2の総線路長となり、同一のインターホン通信網を構成する玄関子機および特定の居室親機の間の通信伝送距離、すなわち、第１、第２の各インターホンバスＬ1、Ｌ2のそれぞれの線路長と比較して２倍となり通信伝送距離の延長化が図られる。
【００２６】
しかしながら、前述の通信伝送距離の延長化に伴い、図１のシステム説明図に示すアダプタ２１、２２から第１、第２の各インターホンバスＬ1、Ｌ2にそれぞれ印加される直流電源（ＤＣ２４Ｖ)の電位レベルが低下（電圧降下)し、第１、第２の各インターホンバスＬ1、Ｌ2にそれぞれ接続されている玄関子機１および居室親機１１ａ、１１ｂ、１１ｃ、・・・の構成各部／回路を動作させるために十分な動作電源を確保できない虞がある。
【００２７】
これを解消するにあたり、例えば、図１のシステム説明図に示す玄関子機１と第１のインターホンバスＬ1、インターホンバス延長アダプタ３１、第２のインターホンバスＬ2を介して居室親機１２ａとの間で通話を成立させるための通話路が予め形成されている場合において、第１、第２の各インターホンバスＬ1、Ｌ2の間は図２のプロック図に示すインターホンバス３１内の第１、第２の各電源回路３００ａ、３００ｂによって電気的に絶縁されているため、第１、第２の各インターホンバスＬ1、Ｌ2にそれぞれ印加されたアダプタ２１、２２からの直流電源（ＤＣ２４Ｖ)はインターホンバス３１を接続していないときと同一条件で供給することができ、第１、第２の各インターホンバスＬ1、Ｌ2にそれぞれ接続されている玄関子機１および居室親機１１ａ、１１ｂ、１１ｃ、・・・の構成各部／回路を動作させるために十分な電位レベルの動作電源が確保される。
【００２８】
次に、図１のシステム説明図に示す玄関子機１と第１のインターホンバスＬ1、インターホンバス延長アダプタ３１、第２のインターホンバスＬ2を介して第２のインターホン通信網Ｎ2を構成する居室親機１２ａとの間で通話を成立させるための通話路が予め形成されている場合において、第１、第２の各インターホンバスＬ1、Ｌ2には、玄関子機１の子機マイク１０２に入力された子機音声信号と居室親機１２ａの親機マイク２０１に入力された親機音声信号とが重なり合った信号、すなわち、双方向の音声信号がそれぞれ重畳されているため、この信号をインターホンバス延長アダプタ３１を介して中継するにあたり、図２のブロック図に示すインターホンバス延長アダプタ３１の第１、第２の各ハイブリッド回路３０１ａ、３０１ｂのうち、先ず、第１のハイブリッド回路３０１ａは、玄関子機１の子機マイク１０２に入力された後、第１のインターホンバスＬ1を介して伝送されてくる子機音声信号を２線／４線変換し、２線／４線変換された子機音声信号について第１のトランス３０２ａを介して第２のハイブリッド回路３０１ｂへと出力する。第２のハイブリッド回路３０１ｂは、第１のハイブリッド回路３０１ａからの子機音声信号を４線／２線変換した後、第２のインターホンバスＬ2へと出力することにより、この子機音声信号が受信された居室親機１２ａでは、親機スピーカ２００から受話音が出力される、すなわち、玄関子機１の子機マイク１０２に入力された音声が出力されることになる。
【００２９】
一方、図２のブロック図に示すインターホンバス延長アダプタ３１の第１、第２の各ハイブリッド回路３０１ａ、３０１ｂのうち、第２のハイブリッド回路３０１ｂは、居室親機１２ａの親機マイク２０１に入力された後、第２のインターホンバスＬ2を介して伝送されてくる親機音声信号を２線／４線変換し、２線／４線変換された親機音声信号について第２のトランス３０２ｂを介して第１のハイブリッド回路３０１ａへと出力する。第１のハイブリッド回路３０１ａは、第２のハイブリッド回路３０１ｂからの親機音声信号を４線／２線変換した後、第１のインターホンバスＬ1へと出力することにより、この親機音声信号が受信された玄関子機１では、子機スピーカ１０３から受話音が出力される、すなわち、居室親機１２ａの親機マイク２０１に入力された音声が出力されることになる。
【００３０】
前述のように、図１のシステム説明図および図２のブロック図に示すインターホンバス延長アダプタ３１では、第１、第２の各インターホンバスＬ1、Ｌ2について直流的に絶縁したため、第１のインターホンバスＬ1を介して伝送されてくる玄関子機１からの子機音声信号および第２のインターホンバスＬ2を介して伝送されてくる居室親機１２ａからの親機音声信号を双方向中継できる。
【００３１】
しかしながら、図２のブロック図に示すインターホン延長アダプタ３１の第１、第２の各ハイブリッド回路３０１ａ、３０１ｂは、データ信号（制御データ）を通過するように設計されていないため、データ信号の伝送ができない虞がある。
【００３２】
これを解消するにあたり、前述のように、図１のシステム説明図に示す玄関子機１と第１のインターホンバスＬ1、インターホンバス延長アダプタ３１、第２のインターホンバスＬ2を介して居室親機１２ａとの間で通話を成立させるための通話路が予め形成されており、双方向で通話が成立している場合において、例えば、玄関子機１の呼出ボタン１００が操作されたことを示す子機制御データが子機マイク１０２に入力された子機音声信号に重畳されて第１のインターホンバスＬ1を介して伝送されてくると、この子機制御データをインターホンバス延長アダプタ３１の双方向中継機能によって第１のインターホンバスＬ1から第２のインターホンバスＬ2へと中継するにあたり、図２のブロック図に示すインターホンバス延長アダプタ３１の第１のデータ受信回路３０３ａは、第１のインターホンバスＬ1に重畳されている子機音声信号および子機制御データのうち子機制御データのみを受信し、受信された子機制御データについて第１のフォトカプラ３０５ａを介して第１のデータ送信回路３０４ａへと出力する。第１のデータ送信回路３０４ａは、第１のデータ受信回路３０３ａからの子機制御データを受信して第２のインターホンバスＬ2に送信することにより、この子機制御データが受信された居室親機１２ａでは、親機スピーカ２００から呼出音（音声メッセージを含む。）を放音させるような呼出報知の動作が行われる。
【００３３】
一方、前述のように、図１のシステム説明図に示す第１のインターホン通信網Ｎ1を構成する玄関子機１と第１のインターホンバスＬ1、インターホンバス延長アダプタ３１、第２のインターホンバスＬ2を介して第２のインターホン通信網Ｎ2を構成する居室親機１２ａとの間で通話を成立させるための通話路が予め形成されており、双方向で通話が成立している場合において、例えば、玄関子機１のカメラ１０１をパン・チルト動作させるための親機制御データが親機マイク２０１に入力された親機音声信号に重畳されて第２のインターホンバスＬ2を介して伝送されてくると、この親機制御データをインターホンバス延長アダプタ３１の双方向中継機能によって第２のインターホンバスＬ2から第１のインターホンバスＬ1へと中継するにあたり、図２のブロック図に示すインターホンバス延長アダプタ３１の第２のデータ受信回路３０３ｂは、第２のインターホンバスＬ2に重畳されている親機音声信号および親機制御データのうち親機制御データのみを受信し、受信された親機制御データについて第２のフォトカプラ３０５ｂを介して第２のデータ送信回路３０４ｂへと出力する。第２のデータ送信回路３０４ｂは、第２のデータ受信回路３０３ｂからの親機制御データを受信して第１のインターホンバスＬ1に送信することにより、この親機制御データが受信された玄関子機１では、カメラ１０１のパン・チルト動作が行われる。
【００３４】
前述のように、図１のシステム説明図および図２のブロック図に示すインターホンバス延長アダプタ３１では、通信伝送距離の延長化に伴い大きくなる第１、第２の各インターホンバスＬ1、Ｌ2のそれぞれのキャパシタンスの影響を受けず、第１のインターホンバスＬ1を介して伝送されてくる玄関子機１からの子機制御データおよび第２のインターホンバスＬ2を介して伝送されてくる居室親機１２ａからの親機制御データ（のレベル）を減衰させずに双方向中継できる。
【００３５】
なお、図１のシステム説明図および図２のブロック図に示す玄関子機１から第１のインターホンバスＬ1を介して伝送されてくる子機制御データを、インターホンバス延長アダプタ３１を介在させて第２のインターホンバスＬ2へと中継するにあたり、この子機制御データは、第１のデータ送信回路３０４ａから第２のインターホンバスＬ2への送信のみならず第１のデータ送信回路３０４ａから第２のデータ受信回路３０３ｂ、第２のフォトカプラ３０５ｂ、第２のデータ送信回路３０４ｂを介して第１のインターホンバスＬ1へと送信され、第１のインターホンバスＬ1に子機制御データが輻輳する虞がある。
【００３６】
これを解消するにあたり、図２のブロック図に示すインターホンバス延長アダプタ３１の第２のデータ送信回路３０４ａは、第１のデータ受信回路３０３ａにて受信された子機制御データを第２のインターホンバスＬ2へと送信するとき、この子機制御データのデータ長に合わせて第２のデータ受信回路３０３ｂから第２のフォトカプラ３０５ｂを介して第２のデータ送信回路３０４ｂへのデータ出力の動作を無効とすることから、第１のインターホンバスＬ1へと子機制御データが帰還（回線帰還）されることはなく、第１のインターホンバスＬ1に子機制御データが輻輳することを防止できる。
【００３７】
一方、図１のシステム説明図および図２のブロック図に示す居室親機１２ａから第２のインターホンバスＬ2を介して伝送されてくる親機制御データを、インターホンバス延長アダプタ３１を介在させて第１のインターホンバスＬ1へと中継するにあたり、この親機制御データは、第２のデータ送信回路３０４ｂから第１のインターホンバスＬ1への送信のみならず第２のデータ送信回路３０４ｂから第１のデータ受信回路３０３ａ、第１のフォトカプラ３０５ａ、第１のデータ送信回路３０４ａを介して第２のインターホンバスＬ2へと送信され、第２のインターホンバスＬ2に親機制御データが輻輳する虞がある。
【００３８】
これを解消するにあたり、図２のブロック図に示すインターホンバス延長アダプタ３１の第２のデータ送信回路３０４ｂは、第２のデータ受信回路３０３ｂにて受信された親機制御データを第１のインターホンバスＬ1へと送信するとき、この親機制御データのデータ長に合わせて第１のデータ受信回路３０３ａから第１のフォトカプラ３０５ａを介して第１のデータ送信回路３０４ａへのデータ出力の動作を無効とすることから、第２のインターホンバスＬ2へと親機制御データが帰還（回線帰還）されることはなく、第２のインターホンバスＬ2に親機制御データが輻輳することを防止できる。
［第２の実施例］
図３は、本発明の第２の実施例によるバス接続式インターホン装置において、第１〜第３の各インターホン通信網Ｎ1、Ｎ2、Ｎ3をそれぞれ構成する当該インターホン端末のうち、ここでは、前述の第１の実施例と同様、第１のインターホン通信網Ｎ1を構成する玄関子機１と第２のインターホン通信網Ｎ2を構成する居室親機１２ａとの間を第１、第２の各インターホンバスＬ1、Ｌ2をそれぞれ介在させて接続するインターホンバス延長アダプタ３１の具体的な構成（以下、第２の構成例という。）を示すブロック図である。
【００３９】
なお、図３のブロック図に示す第２の構成例としてのインターホンバス延長アダプタ３１において、前述の第１の構成例と同様な構成各部／回路については、同一の符号を付与して具体的な構成の説明は省略する。
【００４０】
図３のブロック図に示す第２の構成例としてのインターホンバス延長アダプタ３１は、第１、第２の各電源回路３００ａ、３００ｂ、第１、第２の各ハイブリッド回路３０１ａ、３０１ｂ、第１、第２の各トランス３０２ａ、３０２ｂ、第１、第２の各データ受信回路３０３ａ、３０３ｂ、第１、第２の各データ送信回路３０４ａ、３０４ｂ、第１、第２の各フォトカプラ３０５ａ、３０５ｂと、玄関子機１の子機マイク１０２に入力された後、第１のインターホンバスＬ1を介して伝送されてくる子機音声信号に混ざり合わされた子機制御データの一部、例えば、前述の第１の実施例と同様、玄関子機１の呼出ボタン１００が操作されたことを示す子機制御データの一部が第１のハイブリッド回路３０１ａから第１のトランス３０２ａ、第２のハイブリッド回路３０１ｂを介して第２のインターホンバスＬ2に送信されることを防止するための波形歪み防止回路（以下、第１の波形歪み防止回路という。）３０６ａと、居室親機１２ａの親機マイク２０１に入力された後、第２のインターホンバスＬ2を介して伝送されてくる親機音声信号に混ざり合わされたた親機制御データの一部、例えば、前述の第１の実施例と同様、玄関子機１のカメラ１０１をパン・チルト動作させるための親機制御データの一部が第２のハイブリッド回路３０１ｂから第２のトランス３０２ｂ、第１のハイブリッド回路３０１ａを介して第１のインターホンバスＬ1に送信されることを防止するための波形歪み防止回路（以下、第２の波形歪み防止回路という。）３０６ｂとを有している。なお、第１のデータ受信回路３０３ａの制御出力側には、（第１の波形歪み防止回路３０６ａを介して）第１のハイブリッド回路３０１ａの制御入力側が接続されている。また、第２のデータ受信回路３０３ｂの制御出力側には、（第２の波形歪み防止回路３０６ｂを介して）第２のハイブリッド回路３０１ｂの制御入力側が接続されている。また、第１のデータ送信回路３０４ａの制御出力側には、第２のデータ受信回路３０３ｂの制御入力側と（第２の波形歪み防止回路３０６ｂを介して）第２のハイブリッド回路３０１ｂの制御入力側とがそれぞれ接続されている。また、第２のデータ送信回路３０４ｂの制御出力側には、第１のデータ受信回路３０３ａの制御入力側と（第１の波形歪み防止回路３０６ａを介して）第１のハイブリッド回路３０１ａの制御入力側とがそれぞれ接続されている。
【００４１】
このように構成された本発明の第２の実施例によるバス接続式インターホン装置において、以下、具体的な動作について図１のシステム説明図および図３のブロック図を参照して説明する。
【００４２】
なお、本発明の第２の実施例において、インターホンバス延長アダプタ３１が介在されている第１、第２の各インターホンバスＬ1、Ｌ2の総線路長に起因して通信伝送距離が延長化された場合に、アダプタ２１、２２からの直流電源（ＤＣ２４Ｖ）を個別の動作電源として自延長アダプタ３１内の構成各部／回路へと供給し、十分な電位レベルの動作電源を確保するための動作と、第１、第２の各インターホンバスＬ1、Ｌ2について直流的に絶縁し、第１のインターホンバスＬ1を介して伝送されてくる玄関子機１からの子機音声信号および第２のインターホンバスＬ2を介して伝送されてくる居室親機１２ａからの親機音声信号を双方向中継するための動作とは、それぞれ前述の第１の実施例と同様であることから、これら動作の説明は省略する。
【００４３】
図１のシステム説明図および図２のブロック図に示すインターホンバス延長アダプタ３１を介在させて子機音声信号および子機制御データの相互交換を行うにあたり、子機音声信号には子機制御データの一部が混ざり合わされているため、このような子機制御データの一部が混ざり合わされた子機音声信号を第１のハイブリッド回路３０１ａ、第１のトランス３０２ａ、第２のハイブリッド回路３０１ｂを介して第２のインターホンバスＬ2に送信すると、第１のデータ送信回路３０４ａから第２のインターホンバスＬ2へと送信される正常な子機制御データに波形歪みが発生し、この波形歪みが発生した子機制御データを受信した居室親機１２ａでは正常な呼出報知、すなわち、親機スピーカ２００からの呼出音（音声メッセージを含む。）の放音が正常に行われない虞がある。
【００４４】
これを解消するにあたり、前述のように、図１のシステム説明図に示す玄関子機１と第１のインターホンバスＬ1、インターホンバス延長アダプタ３１、第２のインターホンバスＬ2を介して居室親機１２ａとの間で通話を成立させるための通話路が予め形成されており、双方向で通話が成立している場合において、例えば、玄関子機１の呼出ボタン１００が操作されたことを示す子機制御データが子機マイク１０２に入力された子機音声信号に重畳されて第１のインターホンバスＬ1を介して伝送されてくると、この子機制御データをインターホンバス延長アダプタ３１の双方向中継機能によって第１のインターホンバスＬ1から第２のインターホンバスＬ2へと中継するにあたり、図３のブロック図に示すインターホンバス延長アダプタ３１の第１のデータ受信回路３０３ａは、第１のインターホンバスＬ1に重畳されている子機音声信号および子機制御データのうち子機制御データのみを受信し、受信された子機制御データについて第１のフォトカプラ３０５ａを介して第１のデータ送信回路３０４ａへと出力するとともに、子機制御データが受信された旨の受信検出信号を生成して第１の波形歪み防止回路３０６ａへと出力する。第１の波形歪み防止回路３０６ａは、第１のデータ受信回路３０３ａからの受信検出信号のデータ長に合わせて、第１のハイブリッド回路３０１ａから第１のトランス３０２ａを介して第２のハイブリッド回路３０１ｂへの信号出力のうち、子機音声信号に混ざり合わされている子機制御データの一部を消去することにより、第２のハイブリッド回路３０１ｂから第２のインターホンバスＬ2への送信が子機音声信号のみとなることから、第１のデータ送信回路３０４ａから第２のインターホンバスＬ2へと送信される子機制御データに波形歪みが発生せず、正常な子機制御データとして居室親機１２ａに伝送でき、この子機制御データが受信された居室親機１２ａでは、親機スピーカ２０１から呼出音（音声メッセージを含む。）を放音させるような呼出報知の動作が正常に行われる。
【００４５】
なお、図１のシステム説明図および図３のブロック図に示す玄関子機１から第１のインターホンバスＬ1を介して伝送されてくる子機制御データを、インターホンバス延長アダプタ３１の双方向中継機能によって第２のインターホンバスＬ2へと中継するにあたり、この子機制御データは、第１のデータ送信回路３０４ａから第２のインターホンバスＬ2への送信のみならず第１のデータ送信回路３０４ａから第２のデータ受信回路３０３ｂ、第２のフォトカプラ３０５ｂ、第２のデータ送信回路３０４ｂを介して第１のインターホンバスＬ1へとデータ帰還（回線帰還）され、、第１のインターホンバスＬ1に子機制御データが輻輳する虞がある。
【００４６】
これを解消するにあたり、図３のブロック図に示すインターホンバス延長アダプタ３１の第２のデータ送信回路３０４ａは、第１のデータ受信回路３０３ａからの子機制御データを第２のインターホンバスＬ2に送信すると、この子機制御データのデータ長に合わせて、第２のデータ受信回路３０３ｂから第２のフォトカプラ３０５ｂを介して第２のデータ送信回路３０４ｂへのデータ出力の動作を無効とし、第１のインターホンバスＬ1への子機制御データの帰還（回線帰還）を防止するとともに、子機制御データを第２のインターホンバスＬ2に送信した旨の送信検出信号を生成して第２の波形歪み防止回路３０６ｂへと出力する。第２の波形歪み防止回路３０６ａは、第１のデータ送信回路３０４ａからの送信検出信号のデータ長に合わせて、第２のハイブリッド回路３０１ｂから第２のトランス３０１ｂを介して第１のハイブリッド回路３０１ａへの信号出力のうち、親機音声信号に混ざり合わされている子機制御データを消去することにより、第１のハイブリッド回路３０１ａから第１のインターホンバスＬ1への送信が親機音声信号のみとなることから、第１のインターホンバスＬ1に子機制御データが輻輳することを防止できる。
【００４７】
一方、図１のシステム説明図および図２のブロック図に示すインターホンバス延長アダプタ３１を介在させて親機音声信号および親機制御データの相互交換を行うにあたり、親機音声信号には親機制御データの一部が混ざり合わされているため、このような親機制御データの一部が混ざり合わされた親機音声信号を第２のハイブリッド回路３０１ｂ、第２のトランス３０２ｂ、第１のハイブリッド回路３０１ａを介して第１のインターホンバスＬ1に送信すると、第２のデータ送信回路３０４ｂから第１のインターホンバスＬ1に送信される正常な親機制御データに波形歪みが発生し、この波形歪みが発生した親機制御データを受信した玄関子機１ではカメラ１０１に関する正常なパン・チルト動作が行われない虞がある。
【００４８】
これを解消するにあたり、前述のように、図１のシステム説明図に示す玄関子機１と第１のインターホンバスＬ1、インターホンバス延長アダプタ３１、第２のインターホンバスＬ2を介して居室親機１２ａとの間で通話を成立させるための通話路が予め形成されており、双方向で通話が成立している場合において、例えば、玄関子機１のカメラ１０１をパン・チルト動作させるための親機制御データが親機マイク２０１に入力された親機音声信号に重畳されて第２のインターホンバスＬ2を介して伝送されてくると、この親機制御データをインターホンバス延長アダプタ３１の双方向中継機能によって第２のインターホンバスＬ2から第１のインターホンバスＬ1へと中継するにあたり、図３のブロック図に示すインターホンバス延長アダプタ３１の第２のデータ受信回路３０３ｂは、第２のインターホンバスＬ2に重畳されている親機音声信号および親機制御データのうち親機制御データのみを受信し、受信された親機制御データについて第２のフォトカプラ３０５ｂを介して第２のデータ送信回路３０４ｂへと出力するとともに、親機制御データが受信された旨の受信検出信号を生成して第２の波形歪み防止回路３０６ｂへと出力する。第２の波形歪み防止回路３０６ｂは、第２のデータ受信回路３０３ｂからの受信検出信号のデータ長に合わせて、第２のハイブリッド回路３０１ｂから第２のトランス３０２ｂを介して第１のハイブリッド回路３０１ａへの信号出力のうち、親機音声信号に混ざり合わされている親機制御データの一部を消去することにより、第１のハイブリッド回路３０１ａから第１のインターホンバスＬ1への送信が親機音声信号のみとなることから、第２のデータ送信回路３０４ｂから第１のインターホンバスＬ1に送信される親機制御データに波形歪みが発生せず、正常な親機制御データとして玄関子機１に伝送でき、この親機制御データが受信された玄関子機１では、カメラ１０１のパン・チルト動作が正常に行われる。
【００４９】
なお、図１のシステム説明図および図３のブロック図に示す居室親機１２ａから第２のインターホンバスＬ2を介して伝送されてくる親機制御データを、インターホンバス延長アダプタ３１の双方向中継機能によって第１のインターホンバスＬ1へと中継するにあたり、この親機制御データは、第２のデータ送信回路３０４ｂから第１のインターホンバスＬ1への送信のみならず第２のデータ送信回路３０４ｂから第１のデータ受信回路３０３ａ、第１のフォトカプラ３０５ａ、第１のデータ送信回路３０４ａを介して第２のインターホンバスＬ2へとデータ帰還（回線帰還）され、第２のインターホンバスＬ2に親機制御データが輻輳する虞がある。
【００５０】
これを解消するにあたり、図３のブロック図に示すインターホンバス延長アダプタ３１の第２のデータ送信回路３０４ｂは、第２のデータ受信回路３０３ｂからの親機制御データを第１のインターホンバスＬ1に送信すると、この子機制御データのデータ長に合わせて、第１のデータ受信回路３０３ａから第１のフォトカプラ３０５ａを介して第１のデータ送信回路３０４ａへのデータ出力の動作を無効とし、第２のインターホンバスＬ2への親機制御データの帰還（回線帰還）を防止するとともに、親機制御データを第１のインターホンバスＬ1に送信した旨の送信検出信号を生成して第１の波形歪み防止回路３０６ａへと出力する。第１の波形歪み防止回路３０６ａは、第２のデータ送信回路３０４ｂからの送信検出信号のデータ長に合わせて、第１のハイブリッド回路３０１ａから第１のトランス３０２ａを介して第２のハイブリッド回路３０１ｂへの信号出力のうち、子機音声信号に混ざり合わされている親機制御データを消去することにより、第２のハイブリッド回路３０１ｂから第２のインターホンバスＬ2への送信が子機音声信号のみとなることから、第２のインターホンバスＬ2に親機制御データが輻輳することを防止できる。
［第３の実施例］
図４は、本発明の第３の実施例によるバス接続式インターホン装置において、第１〜第３の各インターホン通信網Ｎ1、Ｎ2、Ｎ3をそれぞれ構成する当該インターホン端末のうち、ここでは、第１のインターホン通信網Ｎ1を構成する玄関子機１と第３のインターホン通信網Ｎ3を構成する居室親機１３ａとの間を第１〜第３の各インターホンバスＬ1、Ｌ2、Ｌ3をそれぞれ介在させて接続するインターホンバス延長アダプタ３１、３２の具体的な構成（以下、第３の構成例という。）を示すブロック図である。
【００５１】
なお、図４のブロック図に示す第３の構成例としてのインターホンバス延長アダプタ３１、３２はそれぞれ同様な構成であり、前述の第１、第２の各構成例と同様な構成各部／回路については、同一の符号を付与して具体的な構成の説明は省略する。
【００５２】
図４のブロック図に示すインターホンバス延長アダプタ３１は、第１、第２の各電源回路３００ａ、３００ｂ、第１、第２の各ハイブリッド回路３０１ａ、３０１ｂ、第１、第２の各データ受信回路３０３ａ、３０３ｂ、第１、第２の各データ送信回路３０４ａ、３０４ｂ、第１、第２の各フォトカプラ３０５ａ、３０５ｂ、第１、第２の各波形歪み防止回路３０６ａ、３０６ｂと、第１のハイブリッド回路３０１ａから第２のハイブリッド回路３０１ｂへの子機音声信号の出力および第２のハイブリッド回路３０１ｂから第１のハイブリッド回路３０１ａへの親機音声信号の出力のうち、何れか一方の出力のみを有効として信号伝送させるためのインターホンボイススイッチ回路３０７とを有している。
【００５３】
また、図４のブロック図に示すインターホンバス延長アダプタ３２は、第２のインターホンバスＬ2に印加されるアダプタ２２からの直流電源（ＤＣ２４Ｖ）、第３のインターホンバスＬ3に印加されるアダプタ２３からの直流電源（ＤＣ２４Ｖ）をそれぞれ受電し、受電された直流電源（ＤＣ２４Ｖ）を自延長アダプタ３２内の構成各部／回路の動作電源として供給するための第１、第２の電源回路３００ａ、３００ｂと、玄関子機１の子機マイク１０２に入力された後、第１のインターホンバスＬ1、インターホンバス延長アダプタ３１、第２のインターホンバスＬ2を介して伝送されてくる子機音声信号を２線／４線変換するとともに、後述するハイブリッド回路３０１ｂを介して２線／４線変換された親機音声信号を４線／２線変換するための第１のハイブリッド回路３０１ａと、居室親機１３ａの親機マイク２０１に入力された後、第３のインターホンバスＬ3を介して伝送されてくる親機音声信号を２線／４線変換するとともに、前述の第１のハイブリッド回路３０１ａを介して２線／４線変換された子機音声信号を４線／２線変換するための第２のハイブリッド回路３０１ｂと、玄関子機１から送信された後、前述の子機音声信号に重畳されて第１のインターホンバスＬ1、インターホンバス延長アダプタ３１、第２のインターホンバスＬ2を介して伝送されてくる子機制御データを受信するための第１のデータ受信回路３０３ａと、居室親機１３ａから送信された後、前述の親機音声信号に重畳されて第３のインターホンバスＬ3を介して伝送されてくる親機制御データを受信するための第２のデータ受信回路３０３ｂと、第１のデータ受信回路３０３ａにて受信された子機制御データを第３のインターホンバスＬ3に送信するための第１のデータ送信回路３０４ａと、第２のデータ受信回路３０３ｂにて受信された親機制御データを第２のインターホンバスＬ2に送信するための第２のデータ送信回路３０４ｂと、第１のデータ受信回路３０３ａから第１のデータ送信回路３０４ａへの子機制御データのデータ伝送路を形成するための発光ダイオードおよび受光トランジスタにて構成される第１のフォトカプラ３０５ａと、第２のデータ受信回路３０３ｂから第２のデータ送信回路３０４ｂへの親機制御データのデータ伝送路を形成するための発光ダイオードおよび受光トランジスタにて構成される第２のフォトカプラ３０５ｂと、前述の第２の構成例にて示された第１、第２の各波形歪み防止回路３０６ａ、３０６ｂと、前述の第４の構成例をなすインターホンバス延長アダプタ３１の構成にて示されたインターホンボイススイッチ回路３０７とを有している。
【００５４】
このように構成された本発明の第３の実施例によるバス接続式インターホン装置において、以下、具体的な動作について図１のシステム説明図および図４のブロック図を参照して説明する。
【００５５】
なお、本発明の第３の実施例において、インターホンバス延長アダプタ３１、３２がそれぞれ介在されている第１〜第３の各インターホンバスＬ1、Ｌ2、Ｌ3の総線路長に起因して通信伝送距離が延長化された場合に、アダプタ２１、２２、２３からの直流電源（ＤＣ２４Ｖ）を個別の動作電源として自延長アダプタ３１、３２内の構成各部／回路へとそれぞれ供給し、十分な電位レベルの動作電源を確保するための動作は、前述の第１の実施例と同様であることから、この動作の説明は省略する。
【００５６】
図１のシステム説明図に示す玄関子機１と第１のインターホンバスＬ1、インターホンバス延長アダプタ３１、第２のインターホンバスＬ2、インターホンバス延長アダプタ３２、第３のインターホンバスＬ3を介して居室親機１３ａとの間で通話を成立させるための通話路が予め形成されている場合、すなわち、当該延長アダプタが多数台接続、ここでは、２台のインターホンバス延長アダプタ３１、３２が接続されて前述の通話路が予め形成されている場合において、図４のシステム説明図に示すインターホンバス延長アダプタ３１、３２の第１、第２の各ハイブリッド回路３０１ａ、３０１ｂでは、それぞれ自回路が有する性能により送受信させる子機音声信号および親機音声信号を完全に分離できないため、例えば、玄関子機１の子機マイク１０２に入力された後、第１のインターホンバスＬ1を介して伝送されてくる子機音声信号が、インターホンバス延長アダプタ３１の第１のハイブリッド回路３０１ａ、第２のハイブリッド回路３０１ｂ、第２のインターホンバスＬ2、インターホンバス延長アダプタ３２の第１のハイブリッド回路３０１ａ、第２のハイブリッド回路３０１ｂ、第１のハイブリッド回路３０１ａ、第２のインターホンバスＬ2、インターホンバス延長アダプタ３１の第２のハイブリッド回路３０１ｂ、第１のハイブリッド回路３０１ａ、第１のインターホンバスＬ1を介して玄関子機１へと回線エコーされ、玄関子機１にてハウリングが発生する虞があるばかりでなく、居室親機１３ａの親機マイク２０１に入力された後、第３のインターホンバスＬ3を介して伝送されてくる親機音声信号についても同様、インターホンバス延長アダプタ３２の第２のハイブリッド回路３０１ｂ、第１のハイブリッド回路３０１ａ、第２のインターホンバスＬ2、インターホンバス延長アダプタ３１の第２のハイブリッド回路３０１ｂ、第１のハイブリッド回路３０１ａ、第２のハイブリッド回路３０１ｂ、第２のインターホンバスＬ2、インターホンバス延長アダプタ３２の第１のハイブリッド回路３０１ａ、第２のハイブリッド回路３０１ｂ、第３のインターホンバスＬ3を介して居室親機１３ａへと回線エコーされ、居室親機１３ａにてハウリングが発生する虞がある。
【００５７】
これを解消するにあたり、図４のブロック図に示すインターホンバス延長アダプタ３１のインターホンボイススイッチ回路３０７は、玄関子機１の子機マイク１０２に入力された後、第１のインターホンバスＬ1を介して伝送されてくる第１のハイブリッド回路３０１ａにて２線／４線変換された子機音声信号のレベル、すなわち、音量レベルと、居室親機１３ａの親機マイク２０１に入力された後、第３のインターホンバスＬ3、インターホンバス延長アダプタ３２の第２のハイブリッド回路３０１ｂ、インターホンボイススイッチ回路３０７、第１のハイブリッド回路３０１ａ、第２のインターホンバスＬ2を介して伝送されてくる自延長アダプタ３１の第２のハイブリッド回路３０１ｂにて２線／４線変換された親機音声信号のレベル、すなわち、音量レベルとを比較し、音量レベルが高い何れか一方の音声信号のみを中継し、他方の音声信号についてはその中継を停止する。
【００５８】
一方、図４のブロック図に示すインターホンバス延長アダプタ３２のインターホンボイススイッチ回路３０７についても、前述のインターホンバス延長アダプタ３１のインターホンボイススイッチ回路３０７の動作と同様、居室親機１３ａの親機マイク２０１に入力された後、第３のインターホンバスＬ3を介して伝送されてくる第２のハイブリッド回路３０１ｂにて２線／４線変換された親機音声信号のレベル、すなわち、音量レベルと、玄関子機１の子機マイク１０２に入力された後、第１のインターホンバスＬ1、インターホンバス延長アダプタ３１の第１のハイブリッド回路３０１ａ、インターホンボイススイッチ回路３０７、第２のハイブリッド回路３０１ｂ、第２のインターホンバスＬ2を介して伝送されてくる自延長アダプタ３２の第１のハイブリッド回路３０１ａにて２線／４線変換された子機音声信号のレベル、すなわち、音量レベルとを比較し、音量レベルが高い何れか一方の音声信号のみを中継し、他方の音声信号についてはその中継を停止する。
【００５９】
前述のように、図４のブロック図に示すインターホンバス延長アダプタ３１、３２の各インターホンボイススイッチ回路３０７、３０７では、それぞれ第１のハイブリッド回路３０１ａおよび第２のハイブリッド回路３０１ｂにて受信される子機音声信号または親機音声信号の音量レベルの相違に応じて、子機音声信号および親機音声信号のうち何れか一方の音声信号のみを中継することにより、例えば、玄関子機１の子機マイク１０２に入力された子機音声信号が当該玄関子機に回線エコーされたり、居室親機１３ａの親機マイク２０１に入力された親機音声信号が当該居室親機に回線エコーされることはなくハウリングの発生を防止できる。
［第４の実施例］
図５は、本発明の第４の実施例によるバス接続式インターホン装置において、第１〜第３の各インターホン通信網Ｎ1、Ｎ2、Ｎ3をそれぞれ構成する当該インターホン端末のうち、ここでは、前述の第３の実施例と同様、第１のインターホン通信網Ｎ1を構成する玄関子機１と第３のインターホン通信網Ｎ3を構成する居室親機１３ａとの間を第１〜第３の各インターホンバスＬ1、Ｌ2、Ｌ3をそれぞれ介在させて接続するインターホンバス延長アダプタ３１、３２の具体的な構成（以下、第４の構成例という。）を示すブロック図である。
【００６０】
なお、図５のブロック図に示す第４の構成例としてのインターホンバス延長アダプタ３１、３２はそれぞれ同様な構成であり、前述の第１〜第３の各構成例と同様な構成各部／回路については、同一の符号を付与して具体的な構成の説明は省略する。
【００６１】
図５のブロック図に示すインターホンバス延長アダプタ３１、３２は、第１、第２の各電源回路３００ａ、３００ｂ、第１、第２の各ハイブリッド回路３０１ａ、３０１ｂ、第１、第２の各データ受信回路３０３ａ、３０３ｂ、第１、第２の各データ送信回路３０４ａ、３０４ｂ、第１、第２の各フォトカプラ３０５ａ、３０５ｂ、第１、第２の各波形歪み防止回路３０６ａ、３０６ｂ、インターホンボイススイッチ回路３０７と、第１のハイブリッド回路３０１ａおよびインターホンボイススイッチ回路３０７の間に介在され、第１のハイブリッド回路３０１ａにて２線／４線変換された子機音声信号のレベル、すなわち、音量レベルについて、この子機音声信号が伝送されてきた所定のインターホンバスの線路長に起因して減衰された減衰分を増幅するためのＡＧＣ（Automatic Gain Control）回路（以下、第１のＡＧＣ回路という。）３０８ａと、第２のハイブリッド回路３０１ｂおよびインターホンボイススイッチ回路３０７の間に介在され、第２のハイブリッド回路３０１ｂにて２線／４線変換された親機音声信号のレベル、すなわち、音量レベルについて、この親機音声信号が伝送されてきた所定のインターホンバスの線路長に起因して減衰された減衰分を増幅するためのＡＧＣ回路（以下、第２のＡＧＣ回路という。）３０８ｂとをそれぞれ有している。
【００６２】
このように構成された本発明の第４の実施例によるバス接続式インターホン装置において、以下、具体的な動作について図１のシステム説明図および図５のブロック図を参照して説明する。
【００６３】
なお、本発明の第４の実施例において、インターホンバス延長アダプタ３１、３２がそれぞれ介在されている第１〜第３の各インターホンバスＬ1、Ｌ2、Ｌ3の総線路長に起因して通信伝送距離が延長化された場合に、アダプタ２１、２２、２３からの直流電源（ＤＣ２４Ｖ）を個別の動作電源として自延長アダプタ３１、３２内の構成各部／回路へとそれぞれ供給し、十分な動作電源の電位レベルを確保するための動作は、前述の第１の実施例と同様であることから、この動作の説明は省略する。
【００６４】
図１のシステム説明図に示す玄関子機１と第１のインターホンバスＬ1、インターホンバス延長アダプタ３１、第２のインターホンバスＬ2、インターホンバス延長アダプタ３２、第３のインターホンバスＬ3を介して居室親機１３ａとの間で通話を成立させるための通話路が予め形成されており、この通話路の形成が当該延長アダプタ３１、３２のカスケード接続により行われていると、前述の第３の実施例から明らかなように、玄関子機１および居室親機１３ａにてそれぞれハウリングが発生する虞があるばかりでなく、第１〜第３の各インターホンバスＬ1、Ｌ2、Ｌ3の総線路長に起因して子機音声信号および親機音声信号のレベル、すなわち、音量レベルが減衰し、居室親機１３ａの親機スピーカ２０１および玄関子機１の子機スピーカ１０３から放音される音声（受話音）が小さくなり聴き取り難くなる虞がある。
【００６５】
これを解消するにあたり、図５のブロック図に示すインターホンバス延長アダプタ３１の第１のＡＧＣ回路３０８ａは、図１のシステム説明図に示す玄関子機１の子機マイク１０２に入力された後、第１のインターホンバスＬ1を介して伝送されてくる第１のハイブリッド回路３０１ａにて２線／４線変換された子機音声信号のレベル、すなわち、音量レベルを、第１のインターホンバスＬ1の線路長に応じた減衰分増幅させてインターホンボイススイッチ回路３０７へと出力する。
【００６６】
また、図５のブロック図に示すインターホンバス延長アダプタ３１の第２のＡＧＣ回路３０８ｂは、居室親機１３ａの親機マイク２０１に入力された後、第３のインターホンバスＬ3、インターホンバス延長アダプタ３２の第２のハイブリッド回路３０１ｂ、第２のＡＧＣ回路３０８ｂ、インターホンボイススイッチ回路３０７、第１のハイブリッド回路３０１ａ、第２のインターホンバスＬ2を介して伝送されてくる自延長アダプタ３１の第２のハイブリッド回路３０１ｂにて４線／２線変換された親機音声信号のレベル、すなわち、音量レベルを、第２のインターホンバスＬ2の線路長に応じた減衰分増幅させてインターホンボイススイッチ回路３０７へと出力する。
【００６７】
さらに、図５のブロック図に示すインターホンバス延長アダプタ３１のインターホンボイススイッチ回路３０７は、第１のＡＧＣ回路３０８ａを介して増幅された子機音声信号の音量レベルと第２のＡＧＣ回路３０８ｂを介して増幅された親機音声信号の音量レベルとを比較し、音量レベルが高い何れか一方の音声信号のみを中継し、他方の音声信号についてはその中継を停止する。
【００６８】
一方、図５のブロック図に示すインターホンバス延長アダプタ３２の第１、第２の各ＡＧＣ回路３０８ａ、３０８ｂおよびインターホンボイススイッチ回路３０７についても、前述のインターホンバス延長アダプタ３１の第１、第２の各ＡＧＣ回路３０８ａ、３０８ｂおよびインターホンボイススイッチ回路３０７と同様な動作を行う。
【００６９】
図５のブロック図に示すインターホンバス延長アダプタ３２の第２のＡＧＣ回路３０８ｂは、居室親機１３ａの親機マイク２０１に入力された後、第３のインターホンバスＬ3を介して伝送されてくる第２のハイブリッド回路３０１ｂにて２線／４線変換された親機音声信号のレベル、すなわち、音量レベルを、第３のインターホンバスＬ3の線路長に応じた減衰分増幅させてインターホンボイススイッチ回路３０７へと出力する。
【００７０】
また、図５のブロック図に示すインターホンバス延長アダプタ３２の第１のＡＧＣ回路３０８ａは、玄関子機１の子機マイク１０２に入力された後、第１のインターホンバスＬ1、インターホンバス延長アダプタ３１の第１のハイブリッド回路３０１ａ、第１のＡＧＣ回路３０８ａ、インターホンボイススイッチ回路３０７、第２のハイブリッド回路３０１ｂ、第２のインターホンバスＬ2を介して伝送されてくる自延長アダプタ３２の第１のハイブリッド回路３０１ａにて４線／２線変換された子機音声信号のレベル、すなわち、音量レベルを、第２のインターホンバスＬ2の線路長に応じた減衰分増幅させてインターホンボイススイッチ回路３０７へと出力する。
【００７１】
さらに、図５のブロック図に示すインターホンバス延長アダプタ３２のインターホンボイススイッチ回路３０７は、第１のＡＧＣ回路３０８ａを介して増幅された子機音声信号の音量レベルと第２のＡＧＣ回路３０８ｂを介して増幅された親機音声信号の音量レベルとを比較し、音量レベルが高い何れか一方の音声信号のみを中継し、他方の音声信号についてはその中継を停止する。
【００７２】
前述のように、図５のブロック図に示すインターホンバス延長アダプタ３１、３２の第１、第２の各ＡＧＣ回路３０８ａ、３０８ｂでは、それぞれ第１のハイブリッド回路３０１ａにて２線／４線変換される子機音声信号の音量レベルおよび第２のハイブリッド回路３０１ｂにて２線／４線変換される親機音声信号の音量レベルを、その伝送経路であるインターホンバスの線路長に応じた減衰分増幅でき、インターホンボイススイッチ回路３０７では、第１、第２の各ＡＧＣ回路３０８ａ、３０８ｂにてそれぞれ増幅された子機音声信号の音量レベルおよび親機音声信号の音量レベルの相違に応じて、子機音声信号および親機音声信号のうち何れか一方の音声信号のみを中継することにより、居室親機１３ａの親機スピーカ２００から放音される音声（受話音）および玄関子機１の子機スピーカ１０３から放音される音声（受話音）が聴き取り易い十分なレベル（音量レベル）で確保できるばかりでなく、例えば、玄関子機１の子機マイク１０２に入力された子機音声信号が当該玄関子機に回線エコーされたり、居室親機１３ａの親機マイク２０１に入力された親機音声信号が当該居室親機に回線エコーされることはなくハウリングの発生を防止できる。
【００７３】
なお、本発明の第３、第４の各実施例において、図１のシステム説明図に示す玄関子機１と第１のインターホンバスＬ1、インターホンバス延長アダプタ３１、第２のインターホンバスＬ2、インターホンバス延長アダプタ３２、第３のインターホンバスＬ3を介して居室親機１３ａとの間で通話を成立させるための通話路が予め形成されており、双方向で通話が成立している場合に、子機音声信号に混ざり合わされている子機制御データの一部および親機音声信号に混ざり合わされている親機制御データの一部の影響を受けず、インターホンバス延長アダプタ３１、３２の第１の各データ送信回路３０４ａ、３０４ａから第２、第３の各インターホンバスＬ2、Ｌ3にそれぞれ送信される子機制御データおよびインターホンバス延長アダプタ３１、３２の第２の各データ送信回路３０４ｂ、３０４ｂから第１、第２の各インターホンバスＬ1、Ｌ2にそれぞれ送信される親機制御データの波形歪みの発生を防止するための動作と、インターホンバス延長アダプタ３１、３２の第１の各データ送信回路３０４ａ、３０４ａから第２のハイブリッド回路３０１ｂ、３０１ｂを介して第１のハイブリッド回路３０１ａへの子機制御データのデータ出力およびインターホンバス延長アダプタ３１、３２の第２のデータ送信回路３０４ｂから第１のハイブリッド回路３０１ａを介して第２のハイブリッド回路３０１ｂへの親機制御データのデータ出力の動作を停止させるための動作とは、それぞれ前述の第２の実施例と同様であることから、これら動作の説明は省略する。
【００７４】
また、本発明の第１〜第４の実施例によれば、当該インターホンバス延長アダプタの台数をインターホンバス延長アダプタ３１、３２の２台とし、第１〜第３の各インターホン通信網Ｎ1、Ｎ2、Ｎ3を構成する当該玄関子機および当該複数台の居室親機を第１〜第３のインターホンバスＬ1、Ｌ2、Ｌ3にぞれぞれ並列接続（バス接続）させたが、２台に限定されず、より多数台の当該インターホンバス延長アダプタを設けることにより、大規模なバス接続式インターホン装置を提供することができ、第１〜第４の各実施例と同様な効果を奏する。
【００７５】
さらに、本発明の第１〜第４の実施例によれば、第１〜第３の各インターホン通信網Ｎ1、Ｎ2、Ｎ3を構成する複数台の居室親機１１ａ、１１ｂ、１１ｃ、・・・、１２ａ、１２ｂ、１２ｃ、・・・、１３ａ、１３ｂ、１３ｃ、・・・にそれぞれ備えられる通話機能として、親機スピーカ２００および親機マイク２０１の使用する拡声通話を適用させたが、この通話機能に限定されず、別途にハンドセットを設け、このハンドセットの使用によるハンドセット通話も好適とされ、当該ハンドセット通話を適用するにあたって、通常、親機マイク２０１は不要となる。
【図面の簡単な説明】
【００７６】
【図１】本発明の第１〜第４の各実施例によるバス接続式インターホン装置の構成を示すシステム説明図。
【図２】本発明の第１の実施例によるバス接続式インターホン装置に適用されるインターホンバス延長アダプタの具体的な構成を示すブロック図。
【図３】本発明の第２の実施例によるバス接続式インターホン装置に適用されるインターホンバス延長アダプタの具体的な構成を示すブロック図。
【図４】本発明の第３の実施例によるバス接続式インターホン装置に適用されるインターホンバス延長アダプタの具体的な構成を示すブロック図。
【図５】本発明の第４の実施例によるバス接続式インターホン装置に適用されるインターホンバス延長アダプタの具体的な構成を示すブロック図。
【符号の説明】
【００７７】
Ｎ1、Ｎ2、Ｎ3……第１〜第３の各インターホン通信網
Ｌ1、Ｌ2、Ｌ3……第１〜第３の各インターホンバス
１、２、３……玄関子機（インターホン端末）
１１ａ、１１ｂ、１１ｃ、・・・、１２ａ、１２ｂ、１２ｃ、・・・、１３ａ、１３ｂ、１３ｃ、・・・ ……複数台の居室親機（インターホン端末）
３１、３２……インターホンバス延長アダプタ
３０６ａ、３０６ｂ……（第１、第２の）波形歪み防止回路
３０７……インターホンボイススイッチ回路
３０８ａ、３０８ｂ……（第１、第２の）ＡＧＣ回路
【図１】
2006211028.tif 000003
【図２】
2006211028.tif 000004
【図３】
2006211028.tif 000005
【図４】
2006211028.tif 000006
【図５】
2006211028.tif 000007